(57)【要約】ビューイング体験を向上させるように集中された環境およびテレビジョン位置のコントロールを可能にするためのシステムおよび方法。１つの実施形態において、環境コントローラは、照明、窓の覆うもの等を調整またはコントロールするために使われ、およびテレビジョン位置コントローラは、テレビジョンの位置を調整するために使われる。テレビジョンのビューイングプロセスは、ユーザーによって選択されたビューイングアクティビティーを進めるための命令を受信するステップ、選択されたビューイングアクティビティーに対応する位置設定へテレビジョンの位置を調整するステップ、および選択されたビューイングアクティビティーに対応する環境設定へ環境設定を調整するステップを含む。
2012501592.tif 000002
【特許請求の範囲】
【請求項１】
テレビジョンビューイングプロセスであって、該プロセスは、
ユーザーによって選択されたビューイングアクティビティーを進める命令を受信するステップと、
該選択されたビューイングアクティビティーに対応する位置設定にテレビジョンの位置を調整するステップと、
該選択されたビューイングアクティビティーに対応する環境設定へ環境設定を調整するステップと
を含む、プロセス。
【請求項２】
いったん前記ビューイングアクティビティーが完了すると、ニュートラルの位置および環境設定へ前記テレビジョンの前記位置設定および前記環境設定を調整するステップをさらに含む、請求項１に記載のプロセス。
【請求項３】
前記テレビジョンがオフにされるとき、前記ニュートラルの位置および環境の設定へ該テレビジョンの前記位置設定および前記環境設定を調整するステップをさらに含む、請求項１に記載のプロセス。
【請求項４】
ビューイングアクティビティーを選択するように前記ユーザーを促すステップをさらに含む、請求項１に記載のプロセス。
【請求項５】
前記ビューイングアクティビティーを選択するように前記ユーザーを促すステップは、前記テレビジョンのディスプレイスクリーン上のナビゲート可能なユーザーインターフェースのビューイングアクティビティーのリストを表すことを含む、請求項４に記載のプロセス。
【請求項６】
前記リストは、グラフィックアイコンの形状である、請求項５に記載のプロセス。
【請求項７】
前記ビューイングアクティビティーのリストは、「映画を見る」、「ＴＶを見る」、「ニュースを見る」、「スポーツを見る」、および「ゲームをプレイする」のうちの１つ以上を含む、請求項５に記載のプロセス。
【請求項８】
前記テレビジョンのメモリーに格納された前記ビューイングアクティビティーに対応する位置設定を回復するステップをさらに含む、請求項１に記載のプロセス。
【請求項９】
前記テレビジョンのメモリーに格納された前記ビューイングアクティビティーに対応する環境設定を回復するステップをさらに含む、請求項８に記載のプロセス。
【請求項１０】
前記環境設定は、「頭上のライト」、「ＬＶライト」、「スカイライトシェード」、「窓シェード」、および「ドアシェード」のうちの１つ以上を含む、請求項９に記載のプロセス。
【請求項１１】
前記ビューイングアクティビティーを選択した観察者のアイデンティテーを受け取るステップをさらに含む、請求項１に記載のプロセス。
【請求項１２】
前記テレビジョンの位置を調整するステップは、前記選択されたビューイングアクティビティーに対して、前記観察者の好みに対応する位置設定へ該テレビジョンの位置を調整することを含む、請求項１１に記載のプロセス。
【請求項１３】
前記環境設定を調整するステップは、前記選択されたビューイングアクティビティーに対して、前記観察者の好みに対応する環境設定へ環境設定を調整することを含む、請求項１２に記載のプロセス。
【請求項１４】
前記ビューイングアクティビティーを選択した前記観察者を識別するステップをさらに含む、請求項１３に記載のプロセス。
【請求項１５】
前記観察者を識別するステップは、観察者固有の特性を、メモリーに格納された観察者固有の特性と比較する、請求項１４に記載のプロセス。
【請求項１６】
前記観察者固有の特性は、指紋である、請求項１５に記載のプロセス。
【請求項１７】
前記テレビジョン上のセンサーで前記観察者の指紋を感知するステップをさらに含む、請求項１６に記載のプロセス。
【請求項１８】
リモートコントロールユニット上のセンサーでの前記観察者の指紋を感知するステップをさらに含む、請求項１７に記載のプロセス。
【発明の詳細な説明】
【技術分野】
【０００１】
（分野）
本発明は、一般的に、テレビジョンに関し、より具体的には、向上したビューイング体験を容易にするためのシステムおよび方法に関する。
【背景技術】
【０００２】
（背景）
テレビジョンの能力および特徴は、拡張かつ向上し続ける。多くのテレビジョンは、与えられたビューイング環境および見られるべきコンテンツのための最高品質のプレゼンテーションを提供するために、ユーザーまたはオペレーターが画面およびオーディオの性能、デバイスのセットアップ等を細かく変えることを許可する特徴および能力を含む。これらの能力がより入手可能になるとき、ますます多くの消費者は、本物の映画館の体験を求める。しかし、ユーザーがプログラムまたは映画を再生し始めるとき、彼らは、しばしば、照明からまたは窓からのまぶしい光、およびプログラムへの他の妨害に直面し、ビューイング体験を向上させるために、立ち上がり、かつ照明および窓の覆うものを調整しなければならない。ビューイング体験を向上させるために、照明、窓の覆うもの等をコントロールするようにＴＶを使うことを可能にするのは望ましいであろう。
【０００３】
まぶしい光および照明に関する問題点に加えて、フラットパネルＴＶを所有する消費者は、しばしば、オン対してオフのとき、ＴＶがどのように置かれるべきに関する矛盾を有する。具体的に、ＴＶは、好ましくは、オフのとき、取り付けられる壁と調整がとれて、および好ましくは、オンのとき、よりよくビューイングおよびリスニングの体験のために観察者へ向かって置かれ、かつ傾かれる。ずっと前から、自動車は、ボタンを押し、好ましい位置に全部に戻るドライバーシート、ステアリングホイール、ガスおよびブレーキペダルを有するための能力を提供する。ＴＶがオンかまたはオフかにつけられるのを依存して、ＴＶが自動的に正しい角度で置かれる方法を提供することは望ましいであろう。
【発明の概要】
【発明が解決しようとする課題】
【０００４】
それゆえに、環境にできることおよび位置にコントロールすることによって、向上したビューイングおよびリスニングの体験を容易にするシステムおよび方法を提供することは望ましいであろう
【課題を解決するための手段】
【０００５】
（要約）
本明細書に記述される実施形態は、ビューイング体験を向上させるようにＴＶから集中された環境および位置のコントロールを可能にするための向上されたシステムおよび方法に対象とする。本明細書に記述される一実施形態において、照明、窓の覆うもの等を調整またはコントロールするために使われる１つ以上の外部に接続された環境コントローラは、現在の環境設定を調整し、好まれた設定として調整された設定を保存するようにＴＶスクリーン上にディスプレイされたデバイスメニューから選択され得る。環境コントローラのための好まれた環境設定はまた、ＴＶスクリーン上にディスプレイされたセットアップメニューから環境コントローラを選択することによって、システムセットアップモード内に生成かつ保存され得る。いったんどちらかのメニューから選択されると、環境コントローラメニューは、スクリーン上に提供され得、窓の覆うものを開きまたは閉じ、照明を増加または減少する等ために、リモートコントロール上のカーソルおよび選択キーと、ボリュームまたはチャンネルのアップおよびダウンキーを用いて動作され得、またはナビゲートされ得る。
【０００６】
作動中、ＴＶは、環境コントローラにスタットアップまたはパワーオンで好まれた環境設定または最後のビューイングアクティビティー（後を見る）をインプリメントさせ得、およびパワーダウンまたはオフでデフォルト設定に戻させ得る。スタットアップで最後のビューアクティビティー設定に戻すように構成される場合、このような設定をアクティブするのに遅延、例えば３０秒遅延は、好ましくは、観察者に代替なビューイングアクティビティーを選択するための機会を与えるようにスタットアッププロセスに組み込まれる。代替的に、好まれた設定は、メニューアイテムの選択を通して、またはＴＶ上のコントロールパネル上またはリモートコントロールユニット上に位置する専用のボタンの作動によってインプリメントされ得る。
【０００７】
本明細書に記述されるもう１つ実施形態において、電動またはソレノイドの駆動される連結アームを含むＴＶの壁取り付けデバイスと結合される位置コントローラは、現在のＴＶ位置を調整しおよびオプション的に好まれた設定として調整された位置を保存するように、スクリーン上にディスプレイされたデバイスメニューから選択され得る。位置コントローラのための好まれた設定はまた、ＴＶスクリーン上にディスプレイされたセットアップメニューから位置コントローラを選択することによって、システムセットアップモード内に生成され得る。いったんどちらかのメニューから選択されると、位置コントローラメニューは、ＴＶスクリーン上にディスプレイされ得、ＴＶの位置を調整し、ＴＶを壁から離れて延長し、ＴＶの高さを調整し、ＴＶを観察者に向かって傾け、ＴＶを左または右へ変えるなど等ために、リモートコントロール上のカーソルおよび選択キーと、ボリュームまたはチャンネルのアップおよびダウンキーを用いてナビゲートされ得、または動作され得る。さらに、ＴＶは、ＴＶがオフにつけられるとき、またはＴＶまたはリモートコントロールユニット上のコントロールパネル上のメニューまたは専用のボタンから選択されるとき、「オフ」またはＴＶが取り付けられる壁に隣接して調整がとれたニュートラルの位置に戻し得る。同様に、ＴＶのパワーアップで、ＴＶは、セットアップの間、メモリーに格納された所望のビューイング位置に戻され得、パワーダウンで、ＴＶは、壁と調整がとれた位置に戻し得る。代替的に、１つ以上の位置ボタンは、ＴＶが好まれた位置へ移動することを許可するようにＴＶのコントロールパネル上および／またはリモートコントロールユニット上に提供され得る。
【０００８】
もう１つの代替的な実施形態において、格納された位置および環境設定の選択が駆動されるメニューのところに、複数の観察者は、選択のために格納された最も好みのビューイング位置および環境状況を有し得る。
【０００９】
もう１つの代替的な実施形態において、好まれた環境および位置設定は、異なるビューイング体験またはアクティビティーに従うように保存され得る。例えば、「ニュースを見る」、「映画を見る」、「音楽を聞く」、「ゲームをプレイする」等のようなアクティビティー。このようなビューイングアクティビティーは、メニュー内またはリモコン上で表され得、および選択されるとき、ＴＶは、位置および１つ以上の環境コントローラに選択された体験またはアクティビティーに対応して好まれた位置および環境の設定をインプリメントさせる。加えて、さらなる代替的な実施形態において、個々のオーディオおよびビデオ設定は、与えられたアクティビティーのために最適化されたビューイングおよびリスニングの体験に対して、各アクティビティーごとに保存され得る。例えば、ゲームおよび映画の能力を提供する組み合わせデバイス（Ｐｌａｙｓｔａｔｉｏｎ３、ＸＢＯＸ３６０および他）のユーザーは、「ゲームをプレイする」および「映画を見る」のような各アクティビティーのための別個の最適化されたオーディオおよびビデオ設定を有し得る。
【００１０】
なおもう１つの実施形態において、指紋センサーまたは認識システム（ＦＲＳ）は、ＴＶ位置に関する個人設定、環境設定、最も好みのチャンネル、高等のユーザーモード、映像／音およびＶ−チップ設定の簡単な選択を許可するように提供される。さらに、ＦＲＳは、Ｖ−チップロックされたチャンネル、プログラム等のロックを解除するように使われ得る。作動中、例えば、家庭内の大人の指紋はＴＶによって知られ得、センサー上の簡単な押し、またはＴＶ上および／またはリモートコントロールユニット上に提供されたＦＲＳは、Ｖ−チップロックされたＴＶのロックを解除し、好まれた設定へ環境設定を調整し、好まれた位置へＴＶを調整し、および／または他の個人設定を調整する。
【００１１】
なおもう１つの実施形態において、ＴＶの配置は、観察者がリモートコントロールユニットを用いてＴＶを動作させるとき、観察者の位置を識別するＴＶのカメラを用いて導かれる。作動中、カメラは、リモートコントロールユニットから来る非常に明るいＩＲの場所を検出し、次に、ＴＶは、位置コントローラに適切なビューイング角度（水平および任意に垂直）にＴＶを置かせる。検出メカニズムは、リモートコントロールユニットが、写真を撮るためにカメラが必要とされる時間の期間にＩＲ  ＬＥＤを「オン」に保つ同時に、ルームのスナップショートを撮るようにカメラに命令するコマンドを含むリモートコントロールユニットからの特別のＩＲコードを含み得る。カメラは、ルームライトの温度および明るさを測定するためのメカニズムも提供し得るＣＭＯＳカメラであり得、ルームライトの温度および明るさのデータが、与えられたライトの状況に対して映像を最適化するために、環境設定および映像キャリブレーションを調整するように使われ得る。
【００１２】
例示の実施形態の他のシステム、方法、特徴および利点は、当業者にとって、次の図面
および詳細の記述の試験上に明白であり、または明白になる。このような追加のシステム、方法、特徴および利点の全部がこの記述内に含まれ、本発明の範囲内にあり、および添付の請求項によって保護されることは意図される。特定の方法および装置が説明のみのために示され、および制限としてではないことは理解される。当業者によって理解されるように、本明細書に説明される原理および特徴は、多様なおよび数多くの実施形態に使用され得る。
【００１３】
本発明の詳細と、その構造および作動についてはともに、同様の参照数字が同様の部分を指す添付の図面の調査によって、一部分で収集され得る。図面の部品は等縮尺である必要がなく、代わりに本発明の原理を説明するのに対して強調する。加えて、全部の説明図は、概念を伝えるつもりであり、相対的なサイズ、形状および他の詳細な属性が、厳密的または正確的より概要的に説明され得る。
【図面の簡単な説明】
【００１４】
【図１】図１は、テレビジョンシステムの略図である。
【図２Ａ】図２Ａは、グラフィックユーザーインターフェースでシステムセットアップメニューを示すテレビジョンスクリーンの略図である。
【図２Ｂ】図２Ｂは、グラフィックユーザーインターフェースでデバイスメニューを示すテレビジョンスクリーンの略図である。
【図２Ｃ】図２Ｃは、グラフィックユーザーインターフェースでアクティビティー選択肢を示すテレビジョンスクリーンの略図である。
【図２Ｄ】記載なし。
【図３】図３は、ペアレントロックセットアップメニューを示すテレビジョンスクリーンの略図である。
【図４】図４は、グラフィックユーザーインターフェースで位置コントロールメニューを示すテレビジョンスクリーンの略図である。
【図５】図５は、グラフィックユーザーインターフェースで環境コントロールメニューを示すテレビジョンスクリーンの略図である。
【図６Ａ】図６Ａと６Ｂは、「オフ」の位置と「オン」の位置のテレビジョンの側面図である。
【図６Ｂ】図６Ａと６Ｂは、「オフ」の位置と「オン」の位置のテレビジョンの側面図である。
【図７Ａ】図７Ａと７Ｂは、「オフ」の位置と「オン」の位置のテレビジョンの上面図である。
【図７Ｂ】図７Ａと７Ｂは、「オフ」の位置と「オン」の位置のテレビジョンの上面図である。
【図８】図８は、リモートコントロールユニットの上面図である。
【図９】図９と１０は、指紋認識システムを利用するシステムの作動を示すフローチャートの略図である。
【図１０】図９と１０は、指紋認識システムを利用するシステムの作動を示すフローチャートの略図である。
【００１５】
類似な構造または機能の要素が、図面の始終に説明目的のための同様な参照数字によって一般的に表示されることは注意されるべきである。図面は、単に、好ましい実施形態の記述を容易にするように意図されることも注意されるべきである。
【発明を実施するための形態】
【００１６】
（詳細な記述）
本明細書に記述される実施形態は、ビューイング体験を向上させるように環境状況およびテレビジョンの位置を中心的にコントロールするための向上された方法およびシステムに対象とする。本明細書に記述される実施形態に提供されるように、テレビジョンシステムは、パワーアップで好まれた環境およびテレビジョン位置の設定をインプリメントし、パワーのダウンまたはオフでデフォルトまたはニュートラルの設定に戻し、グラフィックユーザーインターフェースを有するメニューベースのコントロールシステムを通して環境およびテレビジョン位置の設定を調整およびセットし、およびメニューベースのコントロールシステム、テレビジョンまたはリモートコントロールユニット上の専用の機能キーまたはボタン、または指紋認識システムを用いて好まれた設定を選択するようにセットアップまたはプログラム化され得る。
【００１７】
メニューベースのコントロールシステムおよびグラフィックユーザーインターフェースの詳細な議論は、米国特許出願公開第ＵＳ２００２−０１７１６２４Ａ１で提供され、前記文献が本明細書で参照することによって組み込まれる。’６２４出願は、グラフィックユーザーインターフェースを有するメニューベースのコントロールシステムを用いて、テレビジョンと結合され、かつコントロールされたオーディオ−ビデオ部品の集中されたコントロールに関して、メニューベースのコントロールシステムおよびその作動を記述する。現在、ＩＲ、ＲＳ２３２（Ｌｕｔｒｏｎ、Ｉｎｓｔｅｏｎ、Ｘ１０）を通して、またはＺｉｇｂｅｅまたはＺ−Ｗａｖｅプロトコールを介して照明および他の特徴のリモートおよび集中されたコントロールを可能にし、テレビジョンから集中された環境および位置のコントロールを提供するために、本明細書で指されたメニューベースのコントロールシステムと協同して利用され得るシステムである。
【００１８】
図面を参照して、本明細書に提供される実施形態は詳細に記述される。典型的なテレビジョン１０は、図１に描かれたように、エンクロージャー１２と、エンクロージャー１２に収容され、またはそれと結合されたスクリーン２４とを含む。エンクロージャー１２内に収容されるのは、不揮発性のメモリー１６と、メモリー、集積回路、特定用途向け集積回路チップ等に格納されたソフトウェアの形状であり得るプログラム化可能なロジック１８とを含む中央処理ユニット（ＣＰＵ）１４である。ソフトウェアは、好ましくは、テレビジョンシステム１０のセットアップおよび作動を可能にするための命令のセットを含む。エンクロージャー１２内に収容されるのはまた、スクリーン２４、および、ＣＰＵ１４およびイメージディスプレイシステム２２と結合されるオンスクリーンディスプレイ（ＯＳＤ）コントローラ２０と結合されるイメージディスプレイシステム２２である。ＯＳＤ２０は、スクリーン２４上に何かがディスプレイされるかをコントロールする。
【００１９】
テレビジョンシステム１０は、好ましくは、テレビジョン１０を動作かつコントロールするために、テレビジョン１０とワイヤレスで結合されるリモートコントロールデバイス２６をさらに含む。リモートコントロールデバイス２６は、エンクロージャー１２に収容され、およびＣＰＵ１４と結合される受信器２８によって受信される赤外線（ＩＲ）信号、ラジオ周波数（ＲＦ）信号等を送り得る。テレビジョンシステム１０は、エンクロージャー１２に位置し、およびＣＰＵ１４と結合されるコントロールパネル２７上に置かれるボタンの使用を通してもコントロールされ得る。
【００２０】
テレビジョンシステム１０は、好ましくは、ＣＰＵ１４および図６Ａから７Ｂまでに示される電動またはソレノイド駆動される連結アームと結合される位置コントロールユニット３０と、ＣＰＵ１４および照明システム、窓カバーシステム等と結合される１つ以上の環境コントロールユニット３２とも含む。
【００２１】
図２Ａから４までを参照すると、ＣＰＵ１４によって生成されたグラフィックユーザーインターフェース（ＧＵＩ）４０は示され、スクリーン２４上にディスプレイされる。ＴＶおよびＡＶＲアイコン３４と３６は、ユーザーに現在のビデオおよびオーディオ出力デバイスのグラフィック表示を提供する。図２Ａにおいて、システムおよびデバイスセットアップメニュー４２は、例えば、日期／時間５０、映像５５、ペアレントロック６０等のような典型的なシステムセットアップアイテムに関する選択可能なアイコンと、好まれた実施形態に従って、位置コントロール（Ｐ／Ｃ）７０および環境コントロール８０に関する選択可能なアイコンとを含むように示される。図２Ｂは、ＤＶＤ５２、ＳＴＢデバイス５４、ＶＣＲ５６などのための選択可能な入力デバイスアイコンと、好まれた実施形態に従って、位置コントローラ（Ｐ／Ｃ）７０および環境コントローラ８０のための選択可能なデバイスアイコンとを含むデバイス選択メニュー４４を示す。セットアップメニュー４２およびデバイス選択メニュー４４は、リモートコントロール２６上またはテレビジョン１０のコントロールパネル２７上のカーソルおよび選択キーと、ボリュームまたはチャンネルのアップおよびダウンキーを用いて動作され得、またはナビゲートされ得る。
【００２２】
ペアレントロックアイコン６０がセットアップメニュー４２から選択される場合、ペアレントロックメニュー６１は、好ましくは、図３に描かれたようにスクリーン２４上にディスプレイされる。ペアレントロックメニュー６１は、Ｖ−チップコントロール、観察者ロック、時間ロック、チャンネルロック等のオンまたはオフを変え、ＴＶおよび映画視聴率レベルをセットするために、リモートコントロール２６上またはテレビジョン１０のコントロールパネル２７上のカーソルおよび選択キーと、ボリュームまたはチャンネルのアップおよびダウンキーを用いて動作され得、またはナビゲートされ得る。
【００２３】
位置コントロールアイコン７０がセットアップまたはデバイス選択メニュー４２と４４から選択される場合、ＴＶ位置コントロールメニュー７１は、好ましくは、図４に描かれたようにスクリーン２４上にディスプレイされる。位置コントロールメニュー７１は、取り付けられる壁に対してテレビジョン１０の位置またはオリエンテーションを調整するために、リモートコントロール２６上またはテレビジョン１０のコントロールパネル２７上のカーソルおよび選択キーと、ボリュームまたはチャンネルのアップおよびダウンキーを用いて動作され得、またはナビゲートされ得る。描かれたように、メニュー７１は、壁からの延長コントロール７２、高さ調整コントロール７４、傾きコントロール７６、右方向調整コントロール７８、左方向調整コントロール７９等を含む。
【００２４】
図６Ａ、６Ｂ、７Ａおよび７Ｂに示されるように、テレビジョン位置コントロールシステム９０は、壁Ｗに対してテレビジョン１０と移動可能に結合する電動またはソレノイド駆動される連結アーム９１と結合されるＰ／Ｃコントローラ３０を含む。連結アーム９１は、ピボットジョイント９４で互いに移動可能に結合される第１と第２のアーム構成部分９３と９５を含むように示される。第１のアーム構成部分９３は、ピボットジョイント９２で壁Ｗと移動可能に結合され、第２のアーム構成部分９５は、ピボットジョイント９６でテレビジョン１０の後ろと移動可能に結合される。ピボットジョイント９６は、スクリーン２４が観察者に向かって傾けられ、または右または左へ変えることを可能にし、その一方で、第１と第２のアーム構成部分９３と９５およびピボットジョイント９２と９４は、スクリーンが壁Ｗから離れて延長され、または壁Ｗに向かって縮められ、および上げられまたは低くされることを可能にするように協力する。
【００２５】
作動中、テレビジョン１０は、テレビジョン１０がオフにされるとき、またはニュートラルの位置がメニューから選択されるとき、または専用の機能キーおよびボタンがリモートコントロールユニット２６上またはテレビジョン１０のコントロールパネル２７上に選択または押されるとき、壁Ｗに隣接して調整がとれた「オフ」またはニュートラルの位置に戻され得る。同様に、テレビジョン１０のパワーアップの際に、テレビジョン１０は、セットアップの間、メモリーに格納された所望のビューイング位置に戻され得、パワーダウンで、テレビジョン１０は、壁Ｗと調整がとれたニュートラルの位置に戻され得る。代替的に、１つ以上の位置ボタンは、位置コントローラ３０にテレビジョン１０を１つ以上の好まれた位置へ移動させるようにテレビジョン１０のコントロールパネル２７上またはリモートコントロールユニット２６に提供され得る。
【００２６】
環境コントロールアイコン８０がセットアップまたはデバイス選択メニュー４２と４４から選択される場合、環境コントロールメニュー８１は、好ましくは、図５に描かれたようにスクリーン２４上にディスプレイされる。環境コントロールメニュー８１は、ルーム照明、窓およびドアカバー等を調整するために、リモートコントロール２６上またはテレビジョン１０のコントロールパネル２７上のカーソルおよび選択キーと、ボリュームまたはチャンネルのアップおよびダウンキーを用いて動作され得、またはナビゲートされ得る。描かれたように、メニュー８１は、頭上のライト８２、低い電圧ライト８４、スカイライトシェード８６、窓シェード８８、ドアシェード８９等を調整するためのコントロールを含む。
【００２７】
作動中、テレビジョン１０のコントロールシステムは、１つ以上の環境コントローラ３２にスタットアップまたはパワーオンで好まれた環境設定をインプリメントさせ得、およびパワーダウンまたはオフでデフォルトまたはニュートラルの設定に戻させ得る。代替的に、好まれた設定は、メニューアイテムの選択を通して、またはリモートコントロールユニット２６またはテレビジョン１０のコントロールパネル上の１つ以上の専用の機能キーまたはボタンの作動によってインプリメントされ得る。
【００２８】
もう１つの代替的な実施形態において、格納された位置および環境設定の選択が駆動されるメニューのところに、複数の観察者は、メニューからまたは後で議論されるＦＲＳシステムの使用を通して、選択のために格納された最も好みのビューイング位置および環境状況を有し得る。
【００２９】
もう１つの代替的な実施形態において、好まれた環境および位置設定は、異なるビューイング体験またはアクティビティーに従うように保存され得る。例えば、「ニュースを見る」、「映画を見る」、「スポーツを見る」、「音楽を聞く」、「ゲームをプレイする」等のようなアクティビティー。このようなビューイングアクティビティーは、図２Ｃと２Ｄに描かれるように、ＴＶディスプレイスクリーン上またはリモートコントロールディスプレイクリーン上のアクティビティーメニュー４６で表され得、特定のアクティビティーが選択されるとき、ＴＶ１０は、位置コントローラ３０および１つ以上の環境コントローラ３２に選択されたアクティビティーに対応して好まれた位置および環境の設定をインプリメントさせる。好ましくは、特定のアクティビティーを選択することによって、ＴＶおよび接続されたデバイスは、自動的につけ、選択されたアクティビティーに対して好まれた接続および設定をインプリメントする。例えば、「映画を見る」が選択される場合、次のアクションが行われ得る。
１．ブルーレイプレーヤーが「オン」にされる。
２．ＴＶがオンであり、ブルーレイプレーヤーが入力ソースとして選択される。
３．映画ビデオ設定が適用される。
４．ブラインドが閉じられる。
５．ライトが暗くされる。
６．ＡＶＲがサラウンドモードに切り替えられる。
７．ＴＶが映画を見るために使われたソファーに向かって置かれる。
８．ボリュームが強くされる。
【００３０】
加えて、さらなる代替的な実施形態において、個々のオーディオおよびビデオ設定は、与えられたアクティビティーのために最適化されたビューイングおよびリスニングの体験に対して、各アクティビティーごとに保存され得る。この特徴は、メディアセンターＰＣ、Ｐｌａｙｓｔａｔｉｏｎ３、ＸＢＯＸ３６０等のように、存在し、およびゲームをプレイし、映画を見、写真をビューする等ために使われ得るマルチモードデバイスに特に役に立ち、ユーザーは、デバイスアクティビティーモード、すなわち、「ゲームをプレイする」、「映画を見る」等のごとに異なるアクティビティーの好みをセットアップするような望みを有する。メディアセンターＰＣがブルーレイ映画を再生するために使われる（「映画」を見るアクティビティーメニュー）とき、ＴＶは、その映画を見る設定をインプリメントし、およびこの場合で３Ｄ設定を無効にする。従って、ゲームおよび映画の能力を提供する組み合わせデバイス（Ｐｌａｙｓｔａｔｉｏｎ３、ＸＢＯＸ３６０および他）のユーザーは、「ゲームをプレイする」および「映画を見る」の各アクティビティーのための別個の最適化されたオーディオおよびビデオ設定を有し得る。このような設定は、好ましくは、環境および位置設定と結合される。
【００３１】
なおもう１つの代替的な実施形態において、図１に描かれたように、ＴＶ１０は、エンクロージャー１２に収容され、およびＣＰＵ１４と結合されるカメラ２９を有し得る。
ＴＶ１０の配置は、観察者がリモートコントロールユニット２６を用いてＴＶ１０を動作させるとき、観察者の位置を識別するためのカメラ２９を用いて自動的に導かれ得る。作動中、カメラ２９は、リモートコントロールユニット２６から来る非常に明るいＩＲの場所を検出し、次に、ＴＶ１０は、位置コントローラ３０に適切なビューイング角度（水平および任意に垂直）にＴＶ１０を置かせる。検出メカニズムは、リモートコントロールユニット２６が、写真を撮るためにカメラ２９が必要とされる時間の期間にＩＲ  ＬＥＤを「オン」に保つ同時に、ルームのスナップショートを撮るようにカメラ２６に命令するコマンドを含むリモートコントロールユニット２６からの特別のＩＲコードを含む。カメラ２９は、ルームライトの温度および明るさを測定するためのメカニズムも提供し得るＣＭＯＳカメラであり得、ルームライトの温度および明るさのデータが、与えられたライトの状況に対して映像を最適化するために、環境設定および映像キャリブレーションを調整するように使われ得る。
【００３２】
図８を参照すると、リモートコントロールユニット２６は、パワーボタン１００、デバイスコントロール選択キー１０２、セットアップ、デバイスおよびアクティビティー選択メニュー（図２Ａ、２Ｂおよび２Ｃ）へのアクセスを可能にするメニューとオプションのコントロールキー１０５と１０６、カーソルと選択キー１０８と１０９、ボリュームアップとダウンボタン１１２、チャンネルアップとダウンボタン１１０、数字のキーパッド１１８、および記録と再生キーパッド１２０を含むように示される。さらに、リモートコントロールユニット２６は、好ましくは、好まれた環境および／または位置設定のインプリメンテーションをトリガーし、または最も好みのまたは好まれた選択メニューのディスプレイにユーザーがインプリメントするように異なるタイプの好まれた設定、または導くためのアクティビティーを選択することを許可させるようにプログラム化され得る１つ以上の最も好みの（ＦＡＶ）コントロールキー１０４を含む。
【００３３】
他の機能キーは、専用の位置コントロール（Ｐ／Ｃ）キー１１４、環境コントロール（ＥＣ）キー１１６、および／またはアクティビティー（タスク）キー１１７を含み得る。これらのキーの作動は、好まれた位置および環境設定のインプリメンテーションをトリガーし得、またはスクリーン２４上にディスプレイされるべき位置、環境またはアクティビティーコントロールメニュー７１、８１および４６にユーザーが現在の設定または選択された所望のアクティビティーを調整することを許可させ得る。
【００３４】
もう１つの実施形態において、リモートコントロールユニット２６は、指紋認識システム（ＦＲＳ）のためのセンサー１２２を含み得る。ＦＲＳは、テレビジョン位置に関するメモリーに格納された個人設定、環境設定、最も好みのチャンネル、高等のユーザーモード、映像／音およびＶ−チップ設定の簡単な選択を提供するように使われ得る。例えば、Ｐ／Ｃ、ＥＣ、アクティビティー、Ｖ−チップ等を選択することで、ユーザーはＦＲＳセンサー１７２を押すように催促される。いったん押すと、ＴＶは、格納された設定にインプリメントさせ、または新しい設定を調整かつ格納するようにアクセスすることを許可させる。さらに、ＦＲＳは、Ｖ−チップロックされたチャンネル、プログラム等のロックを解除するように使われ得る。例えば、家庭内の大人の指紋はＦＲＳによって知られ得、センサー１２２上の簡単な押しは、Ｖ−チップロックされたテレビジョンのロックを、および／または他の追加の催促なしに解除し、好まれた設定へ環境設定を調整し、好まれた位置へテレビジョン位置を調整し、および／または他の個人設定を調整する。
【００３５】
代替的に、コントロールシステムは、一定のメニューオプションをアクセスし、またはユーザーにアクティビティーの選択メニューまたはユーザーに関連付けられた最も好みのチャンネルを提出するために、ユーザーの認証を必要とし得る。図９に描かれたように、いったんユーザーが、例えば、デバイス選択メニュー４４の位置コントローラ６０を選択するように、特定のメニュー内に選択１３２を作ると、認証プロセス１３０は、ユーザーにＦＲＳのセンサー１２２上に親指を置くように指示する１３４。コントロールシステムは、ＦＲＳから指紋データを受け取り１３６、および次に、指紋がペアレントまたはシステムの管理者のようなメモリーに格納された指紋にマッチするか否かを決定する１３８。指紋がマッチする場合、コントロールシステムは、選択に進む１４０。マッチしない場合、コントロールシステムは、メニューを終了する１４２。
【００３６】
もう１つの実施形態において、Ｖ−チップコントロールとともにＦＲＳの使用のプロセス１５０は、図１０に示される。描かれたように、ビューイングがＶ−チップコントロールによってブロックされる場合、ＦＲＳはモニターされる１５２。指紋入力データがＦＲＳから受信される１５４場合、コントロールシステムは、指紋がペアレントまたはシステムの管理者にマッチするか否かを決定する１５６。指紋がマッチする場合、コントロールシステムは、選択されたプログラムのビューイングを許可するためにビデオ信号を通過する１６０。マッチしない場合、コントロールシステムは、選択されたプログラムのビューイングを防止するためにビデオ信号をブロックする１６２。
【００３７】
ＦＲＳは、テレビジョンの設定を他の重大または難しく構成するのへのアクセスが、インストーラまたはシステムの管理者のみによって可能であることも確実し得る。このような制限されたアクセスは、例えば、セットアップするために時間消費であり得るビデオ設定および他の設定を含み得る。
【００３８】
さらに、ＦＲＳ自身内のＦＲＳを押すことは、アクティビティーまたは最も好みのメニューを直接に産し得る。例えば、ユーザーが指紋センサーを押すと、最も好みのチャンネルおよび／またはアクティビティーメニューは、スクリーン上にディスプレイされ得る。加えて、家庭内の子供は、彼らの最も好みのチャンネルまたは彼らに対して許可されたアクティビティーも、ＰＣおよび／またはＥＣ設定も簡単にアクセスするように使い得る。
【００３９】
前の仕様において、本発明は、それの具体的な実施形態を参照することとともに記述される。しかし、多様な修正および変化が、本発明のより広い真意および範囲から外れることなしにそれに加えられ得ることは明白である。例えば、読者は、本明細書に記述されたプロセスフローダイヤグラムで示されるプロセス実行の具体的な順序および組み合わせが、特に明記しない限り、単に例となり、および本発明が、異なるまたは追加のプロセス実行、またはプロセス実行の異なる組み合わせまたは順序を用いて行われ得ることを理解し得る。もう１つの例のように、１つの実施形態の各特徴は、他の実施形態で示される他の特徴と混ぜられ、かつマッチされ得る。当業者に知られる特徴およびプロセスは、望まれるように類似に組み込まれ得る。さらにおよび明白的に、特徴は望まれるように追加され、かつ引かれ得る。従って、本発明は、添付の請求項およびそれらの同等物を考慮する以外に制限されるべきではない。
【図１】
2012501592.tif 000003
【図２Ａ】
2012501592.tif 000004
【図２Ｂ】
2012501592.tif 000005
【図２Ｃ】
2012501592.tif 000006
【図２Ｄ】
2012501592.tif 000007
【図３】
2012501592.tif 000008
【図４】
2012501592.tif 000009
【図５】
2012501592.tif 000010
【図６Ａ】
2012501592.tif 000011
【図６Ｂ】
2012501592.tif 000012
【図７Ａ】
2012501592.tif 000013
【図７Ｂ】
2012501592.tif 000014
【図８】
2012501592.tif 000015
【図９】
2012501592.tif 000016
【図１０】
2012501592.tif 000017
【国際調査報告】
2012501592.tif 000018